(57)【特許請求の範囲】
【請求項１】
１フィールド期間内に複数のサブフィールド期間を設けて明るさを制御するサブフィールド法を用いて駆動されるプラズマディスプレイパネルであって、
走査方向と直交する方向に形成された第１の表示電極を備えた第１の基板と、
前記走査方向に形成された第１のアドレス電極を備えた第２の基板と、
前記第１の基板と第２の基板との間に配置され、前記第１の基板側に形成された第２のアドレス電極と前記第２の基板側に形成された第２の表示電極とを備えた第３の基板とを有しており、
前記第２の表示電極を前記第１の表示電極と前記第３の基板の面方向に対して垂直方向に重なるよう配置させ、
前記第１の基板と第３の基板との間に第１の放電素子を設け、前記第２の基板と第３の基板との間に第２の放電素子を設け、前記第２の放電素子は前記第１の放電素子と前記第３の基板の面方向に対して垂直方向に重なり、
前記複数のサブフィールド期間は、前記第１及び第２の放電素子毎に振り分けられたことを特徴とするプラズマディスプレイパネル。
【請求項２】
前記第１及び第２の放電素子は、それぞれ放電空間を有しており、
前記第１及び第２の放電素子は、前記放電空間に接する蛍光体を備えたことを特徴とする請求項１に記載のプラズマディスプレイパネル。
【請求項３】
前記第１及び第２の放電素子を維持放電させる際に印加するパルスの周期を、前記第１及び第２の放電素子毎に設定したことを特徴とする請求項１又は２に記載のプラズマディスプレイパネル。
【請求項４】
前記第１及び第２の放電素子を前記維持放電させるために印加するパルスの振幅を、前記第１及び第２の放電素子毎に設定したことを特徴とする請求項１乃至３のいずれか１項に記載のプラズマディスプレイパネル。
【請求項５】
１フィールド期間内に複数のサブフィールド期間を設けて明るさを制御するサブフィールド法を用いたプラズマディスプレイパネルの駆動方法であって、
前記プラズマディスプレイは、走査方向と直交する方向に形成された第１の表示電極を備えた第１の基板と、
前記走査方向に形成された第１のアドレス電極を備えた第２の基板と、
前記第１の基板と第２の基板との間に配置され、前記第１の基板側に形成された第２のアドレス電極と前記第２の基板側に形成された第２の表示電極とを備えた第３の基板とを有しており、
前記第２の表示電極を前記第１の表示電極と前記第３の基板の面方向に対して垂直方向に重なるよう配置させ、
前記第１の基板と第３の基板との間に第１の放電素子を設け、前記第２の基板と第３の基板との間に第２の放電素子を設け、前記第２の放電素子は前記第１の放電素子と前記第３の基板の面方向に対して垂直方向に重なる構成を有し、
前記複数のサブフィールド期間を、前記第１及び第２の放電素子毎に振り分けたことを特徴とするプラズマディスプレイパネルの駆動方法。
【請求項６】
前記複数のサブフィールド期間を、前記第１及び第２の放電素子毎に振り分けることにより生じる時間的自由度を、維持放電期間に割り当てることを特徴とする請求項５に記載のプラズマディスプレイパネルの駆動方法。
【請求項７】
１フィールド期間内に複数のサブフィールド期間を設けて明るさを制御するサブフィールド法を用いて駆動されるプラズマディスプレイパネルであって、
走査方向と直交する方向に形成された第１の表示電極を備えた第１の基板と、
前記走査方向に形成された第１のアドレス電極を備えた第２の基板と、
前記第１の基板と第２の基板との間に配置され、前記第１の基板側に形成された第２のアドレス電極と前記第２の基板側に形成された第２の表示電極とを備えた複数の第３の基板とを有しており、
前記第２の表示電極の各々を前記第１の表示電極と前記第３の基板の面方向に対して垂直方向に重なるよう配置させ、
前記第１の基板と第３の基板との間に第１の放電素子を設け、前記第２の基板と第３の基板との間に第２の放電素子を設け、対向する前記第３の基板同士の間にそれぞれ第３の放電素子を設け、前記第２の放電素子及び前記第３の放電素子は前記第１の放電素子と前記第３の基板の面方向に対して垂直方向に重なり、
前記複数のサブフィールド期間は、前記第１、第２及び第３の放電素子毎に振り分けられたことを特徴とするプラズマディスプレイパネル。
【請求項８】
前記第１、第２及び第３の放電素子は、それぞれ放電空間を有しており、
前記第１、第２及び第３の放電素子は、前記放電空間に接する蛍光体を備えたことを特徴とする請求項７に記載のプラズマディスプレイパネル。
【請求項９】
前記第１、第２及び第３の放電素子を維持放電させる際に印加するパルスの周期を、前記第１、第２及び第３の放電素子毎に設定したことを特徴とする請求項７又は８に記載のプラズマディスプレイパネル。
【請求項１０】
前記第１、第２及び第３の放電素子を前記維持放電させるために印加するパルスの振幅を、前記第１、第２及び第３の放電素子毎に設定したことを特徴とする請求項７乃至９のいずれか１項に記載のプラズマディスプレイパネル。
【請求項１１】
１フィールド期間内に複数のサブフィールド期間を設けて明るさを制御するサブフィールド法を用いたプラズマディスプレイパネルの駆動方法であって、
前記プラズマディスプレイパネルは、走査方向と直交する方向に形成された第１の表示電極を備えた第１の基板と、
前記走査方向に形成された第１のアドレス電極を備えた第２の基板と、
前記第１の基板と第２の基板との間に配置され、前記第１の基板側に形成された第２のアドレス電極と前記第２の基板側に形成された第２の表示電極とを備えた複数の第３の基板とを有しており、
前記第２の表示電極の各々を前記第１の表示電極と前記第３の基板の面方向に対して垂直方向に重なるよう配置させ、
前記第１の基板と第３の基板との間に第１の放電素子を設け、前記第２の基板と第３の基板との間に第２の放電素子を設け、対向する前記第３の基板同士の間にそれぞれ第３の放電素子を設け、前記第２の放電素子及び前記第３の放電素子は前記第１の放電素子と前記第３の基板の面方向に対して垂直方向に重なる構成を有し、
前記複数のサブフィールド期間を、前記第１、第２及び第３の放電素子毎に振り分けたことを特徴とするプラズマディスプレイパネルの駆動方法。
【請求項１２】
前記複数のサブフィールド期間を、前記第１、第２及び第３の放電素子毎に振り分けることにより生じる時間的自由度を、維持放電期間に割り当てることを特徴とする請求項１１に記載のプラズマディスプレイパネルの駆動方法。
【発明の詳細な説明】
【技術分野】
【０００１】
本発明は、プラズマディスプレイパネル及びその駆動方法に係り、特に、同一平面内に走査電極と維持電極とを設けたプラズマディスプレイパネル及びその駆動方法に関する。
【背景技術】
【０００２】
プラズマディスプレイパネル（Plasma
Display Panel、以下、ＰＤＰとする）は、大画面化が容易なこと、表示品質がよいこと、また、液晶ディスプレイと比べた場合に視野角が広いなどの特長があり、薄型化が可能なことから、例えば壁掛け型ディスプレイなどの大型表示装置として用いられるようになってきている。
【０００３】
ＰＤＰは、前面板と背面板との間に設けられた放電素子の放電空間に、希ガス又は希ガスの混合ガスを封入し、前面板及び背面板に設けられた表示電極及びアドレス電極に電圧を印加し、放電を発生させて、その際に生じる封入ガスの可視励起発光、若しくは励起紫外線により蛍光体を励起させて可視発光を得る平面型表示装置である。
【０００４】
次に、図１乃至図３を参照して、従来のＰＤＰの構成について説明する。図１は、従来技術のＰＤＰの斜視図であり、図２は、図１に示したＰＤＰの平面図であり、図３は、図１に示したＰＤＰをＡ視した図である。なお、図１乃至図３において、Ｙ，Ｙ方向は、走査方向（アドレス電極１３の延在方向）を示しており、Ｘ，Ｘ方向は、走査方向に対して直交する水平方向を示している。図２においては、説明の便宜上、図１に示したｎ本の表示電極２２を表示電極２２−１〜２２−ｎ、ｎ本の走査電極２２Ａを走査電極２２Ａ−１〜２２Ａ−ｎ、ｎ本の維持電極２２Ｂを維持電極２２Ｂ−１〜２２Ｂ−ｎ、ｎ本の走査ライン２７を走査ライン２７−１〜２７−ｎとそれぞれ示す。また、図２において、点線で囲んだ領域は画素２４を示している。
【０００５】
図１乃至図３に示すように、ＰＤＰ１０は、複数の放電素子２０を有しており、大略すると背面板１１と、前面板１９とを有した構成とされている。背面板１１は、ガラス基板１２と、アドレス電極１３と、誘電体層１４と、隔壁１５と、蛍光体１６とにより構成されている。ガラス基板１２上には、走査方向に延在するｍ本（ｍは自然数）のアドレス電極１３が設けられている。誘電体層１４は、アドレス電極１３とガラス基板１２とを覆うよう形成されている。誘電体層１４上には、ｍ本のアドレス電極１３を一本毎に分離するよう複数の隔壁１５が設けられている。蛍光体１６は、隔壁１５の側面と誘電体層１４との間に亘って形成されている。
【０００６】
前面板１９は、ガラス基板２１と、ｎ本の表示電極２２（ｎは自然数、以下、それぞれの表示電極２２を示す場合には、表示電極２２−１、表示電極２２−２、・・・、表示電極２２−ｎする。）と、電極母線２３と、誘電体層２５と、保護膜２６とにより構成されている。ガラス基板２１の背面板１１と対向する面には、水平方向に延在する表示電極２２−１〜２２−ｎが設けられている。透明な電極である表示電極２２は、走査電極２２Ａと維持電極２２Ｂとが対になっている。
【０００７】
走査電極２２Ａ−１〜２２Ａ−ｎ及び維持電極２２Ｂ−１〜２２Ｂ−ｎには、それぞれ電極母線２３が形成されている。電極母線２３は、抵抗値を下げるためのものであり、一般的に透過性を有していない金属が用いられる。誘電体層２５は、表示電極２２−１〜２２−ｎ、電極母線２３、及びガラス基板２１を覆うように形成されている。保護膜２６は、誘電体層２５を覆うように形成されている。背面板１１と前面板１９との間には、放電空間１７が設けられており、放電空間１７には、希ガス又は希ガスの混合ガスからなるガスが封入されている。
【０００８】
放電素子２０は、表示電極２２とアドレス電極１３とが対向する領域に設けられており、大略すると、表示電極２２と、アドレス電極１３と、誘電体層１４，２５と、蛍光体１６と、保護膜２６と、電極母線２３とを有した構成とされている。ＰＤＰ１０に画像を表示させる際には、上から順番に一行ずつ走査ライン２７−１〜２７−ｎを表示させることで、画像が表示される（例えば、非特許文献１参照。）。
【０００９】
次に、図４を参照して、他の従来のＰＤＰ３０の構成について説明する。図４は、他の従来のＰＤＰの分解斜視図である。ＰＤＰ３０は、複数の放電素子（図示せず）を有しており、大略すると背面板３１と、前面板４１とを有した構成とされている。ＰＤＰ３０は、ｎ本（ｎは自然数）の走査ライン４９を有した構成とされている。なお、放電素子は、表示電極４３とアドレス電極３３とが対向する領域に設けられている。
【００１０】
背面板３１は、ガラス基板３２と、複数のアドレス電極３３と、誘電体層３４と、隔壁３５と、蛍光体３６とにより構成されている。隔壁３５は、水平方向と走査方向とに対してそれぞれ設けられている。
【００１１】
前面板４１は、ガラス基板４２と、表示電極４３と、電極母線４６と、誘電体層４７と、保護膜４８とにより構成されている。透明な電極である表示電極４３は、Ｔ字形状をした走査電極４５と、Ｔ字形状をした維持電極４４とが対を成した構成とされている。ガラス基板４２上には、このような構成とされた複数の表示電極４３が形成されている。維持電極４４及び走査電極４５には、それぞれ水平方向に延在する電極母線４６が形成されている。電極母線４６は、抵抗値を下げるためのものであり、一般的に透過性を有していない金属が用いられる。
【００１２】
背面板３１と前面板４１とが貼り合わされた状態において、背面板３１と前面板４１との間には放電空間が形成され、この放電空間には、希ガス又は希ガスの混合ガスからなるガスが封入されている。ＰＤＰ３０に画像を表示させる際には、上から順番に一行ずつ走査ライン４９を表示させることで、画像が表示される（例えば、非特許文献１参照。）。
【００１３】
このようなＰＤＰ１０，３０では、テレビ画のような階調表示を伴う画像の表示を行う際、発光の時間（回数）を変えることで表示される画像の明るさを調整するサブフィールド法が用いられている。
【００１４】
次に、図５及び図６を参照して、ＰＤＰ１０の駆動方法について説明する。図５は、１フィールド期間で２５６階調の画像をＰＤＰが表示する際の階調表示例を示した図であり、図６は、ＰＤＰの駆動波形を示した図である。なお、図５において、同図左側に記載した２２Ａ−１、２２Ａ−２、・・・、２２Ａ−ｎは、データ書き込み用の電圧パルスが走査電極２２Ａ−１、走査電極２２Ａ−２、・・・、走査電極２２Ａ−ｎの順に印加されていることを示しており、図５中下側に記載した数字は、各サブフィールド（ＳＦ）における維持放電期間の発光時間比を示している。また、図５の横軸は時間を示している。
【００１５】
また、図６において、（ａ）はアドレス電極１３の電圧パルス波形、（ｂ）は維持電極２２Ｂ−１〜２２Ｂ−ｎの電圧パルス波形、（ｃ）は１番目の走査電極２２Ａ−１の電圧パルス波形、（ｄ）は２番目の走査電極２２Ａ−２の電圧パルス波形、（ｅ）はｎ番目の走査電極２２Ａ−ｎの電圧パルス波形、ｔａｄｄはアドレス放電時のパルス印加時間（以下、パルス印加時間ｔａｄｄ）、Ｔ１は電圧パルスの繰り返し周期（以下、繰り返し周期Ｔ１）をそれぞれ示している。
【００１６】
図５に示すように、１フィールド期間は８つのサブフィールド（具体的には、ＳＦ１〜ＳＦ８）に分割されている。ＳＦ１〜ＳＦ８は、それぞれが２の累乗（例えば、ＳＦ１の場合は２0＝１）で重み付けられた維持放電期間を有しており、ＳＦ１〜ＳＦ８は、リセット放電期間と、アドレス放電期間と、維持放電期間とをそれぞれ有した構成とされている。
【００１７】
図６に示すように、リセット放電期間では、放電空間１７のリセット放電が行われ、それぞれの画素２４に対応した誘電体層２５に蓄積される電荷の状態が均一にされる。
【００１８】
続く、アドレス放電期間では、アドレス電極１３に印加される信号パルスに同期して、データ書き込み用の電圧パルスが走査電極２２Ａ−１、走査電極２２Ａ−２、・・・、走査電極２２Ａ−ｎの順に印加される。このアドレス放電期間では、所定の走査電極２２Ａに対応した複数の放電素子２０に対して、同時に選択書き込み放電され、アドレス放電期間内にＰＤＰ１０に設けられた全ての放電素子２０の選択書き込み放電が完了される。選択書き込み放電は、維持放電するための画素２４を選択するための放電であり、この放電はアドレス電極１３と走査電極２２Ａ−１〜２２Ａ−ｎとの間で行われる。
【００１９】
次の維持放電期間では、繰り返し周期Ｔ１の電圧パルスが、維持電極２２Ｂ−１〜２２Ｂ−ｎと、走査電極２２Ａ−１〜２２Ａ−ｎとに印加されて、アドレス放電期間に選択された放電素子２０において、維持放電が持続的に起こり、表示画像の階調に比例した放電発光が可能となる。
【００２０】
例えば、４８０本（ｎ＝４８０の場合）の走査ライン２７を有したＰＤＰ１０において、１フィールド期間（１６．６７ｍｓｅｃ）内に８つのサブフィールド期間を設け、繰り返し周期Ｔ１を６０ｋＨｚとした場合には、１フィールド期間で約４．２５ｍｓｅｃ（＝２５５×（１／（６０×１０００））ｓｅｃ）が維持放電期間として必要となり、８つのサブフィールド期間で４８０本の走査ラインの表示を行うためには、約３．２３μｓｅｃ（＝（１６．６７−４．２５）／（４８０×８）ｍｓｅｃ）でアドレス放電を順次行う必要がある。しかし、アドレス放電期間の前には、リセット放電期間が必要であるため、アドレス放電期間のパルス印加時間ｔａｄｄは、３μｓｅｃ以下にする必要がある。
【００２１】
このようなＰＤＰ１０，３０には、高解像度化が望まれており、ＰＤＰ１０，３０に設けられる走査ライン２７の数は増加する傾向にあり、限られた１フィールド期間（１６．６７ｍｓｅｃ）内に画像を表示させるためには、走査ライン２７の増加に伴いアドレス放電期間を長くすると共に、アドレス放電のパルス印加時間ｔａｄｄを短くする必要がある。
【非特許文献１】村上宏、篠田傳、和邇浩一、「大画面壁掛けテレビ―プラズマディスプレイ―」、株式会社コロナ社（編者：社団法人  映像メディア学会）、ｐ１４０―ｐ１４５、ｐ１２７―ｐ１２９（初版  ２００２年５月１０日）
【発明の開示】
【発明が解決しようとする課題】
【００２２】
しかしながら、限られた１フィールド期間（１６．６７ｍｓｅｃ）内において、アドレス放電期間を長くするためには、維持放電期間を短くする必要があるが、維持放電期間を短くした場合には、発光特性（輝度など）の低下や階調特性の低下が生じるという問題があった。
【００２３】
また、アドレス放電期間に行う選択書き込み放電は、安定した選択状態を形成するために、十分な放電形成時間が必要なため、パルス印加時間ｔａｄｄを短くした場合には、不安定な選択放電により放電素子２０の選択ミスが生じて、画像を正しく表示することができないという問題があった。
【００２４】
そこで本発明は、上述した問題点に鑑みなされたものであり、高精細な画像を安定して表示させることのできるプラズマディスプレイパネル及びその駆動方法を提供することを目的とする。
【課題を解決するための手段】
【００２５】
上記課題を解決するために本発明では、次に述べる各手段を講じたことを特徴とするものである。
【００２６】
請求項１記載の発明では、１フィールド期間内に複数のサブフィールド期間を設けて明るさを制御するサブフィールド法を用いて駆動されるプラズマディスプレイパネルであって、走査方向と直交する方向に形成された第１の表示電極を備えた第１の基板と、前記走査方向に形成された第１のアドレス電極を備えた第２の基板と、前記第１の基板と第２の基板との間に配置され、前記第１の基板側に形成された第２のアドレス電極と前記第２の基板側に形成された第２の表示電極とを備えた第３の基板とを有しており、前記第２の表示電極を前記第１の表示電極と前記第３の基板の面方向に対して垂直方向に重なるよう配置させ、前記第１の基板と第３の基板との間に第１の放電素子を設け、前記第２の基板と第３の基板との間に第２の放電素子を設け、前記第２の放電素子は前記第１の放電素子と前記第３の基板の面方向に対して垂直方向に重なり、前記複数のサブフィールド期間は、前記第１及び第２の放電素子毎に振り分けられたことを特徴とするプラズマディスプレイパネルにより、解決できる。
【００２７】
上記発明によれば、第１の放電素子と、第１の放電素子と対向する第２の放電素子とを設けることにより、サブフィールド法を用いて画像の明るさを調整する際、１フィールド期間内に設けられた複数のサブフィールド期間を、第１及び第２の放電素子のそれぞれに振り分けることができる。これにより、走査ラインの数を増加させた場合において、維持放電期間を短くすることなく、従来と同じ長さのパルス印加時間でアドレス放電を行って、安定して駆動させることができると共に、高精細な画像を表示することができる。
【００３０】
請求項２記載の発明では、前記第１及び第２の放電素子は、それぞれ放電空間を有しており、前記第１及び第２の放電素子は、前記放電空間に接する蛍光体を備えたことを特徴とする請求項１に記載のプラズマディスプレイパネルにより、解決できる。
【００３１】
上記発明によれば、例えば、第１及び第２の放電素子にＲＧＢ用の蛍光体を設けることにより、カラー画像を表示することができる。
【００３２】
請求項３記載の発明では、前記第１及び第２の放電素子を維持放電させる際に印加するパルスの周期を、前記第１及び第２の放電素子毎に設定したことを特徴とする請求項１又は２に記載のプラズマディスプレイパネルにより、解決できる。
【００３３】
上記発明によれば、第１及び第２の放電素子を維持放電させる際に印加するパルスの周期を、第１及び第２の放電素子毎に設定することにより、第１及び第２の放電素子のそれぞれの輝度を調整することができる。
【００３４】
請求項４記載の発明では、前記第１及び第２の放電素子を前記維持放電させるために印加するパルスの振幅を、前記第１及び第２の放電素子毎に設定したことを特徴とする請求項１乃至３のいずれか１項に記載のプラズマディスプレイパネルにより、解決できる。
【００３５】
上記発明によれば、前記第１及び第２の放電素子を維持放電させるために印加するパルスの振幅を、前記第１及び第２の放電素子毎に設定することにより、第１及び第２の放電素子のそれぞれの輝度を調整することができる。
【００３６】
請求項５記載の発明では、１フィールド期間内に複数のサブフィールド期間を設けて明るさを制御するサブフィールド法を用いたプラズマディスプレイパネルの駆動方法であって、前記プラズマディスプレイは、走査方向と直交する方向に形成された第１の表示電極を備えた第１の基板と、前記走査方向に形成された第１のアドレス電極を備えた第２の基板と、前記第１の基板と第２の基板との間に配置され、前記第１の基板側に形成された第２のアドレス電極と前記第２の基板側に形成された第２の表示電極とを備えた第３の基板とを有しており、前記第２の表示電極を前記第１の表示電極と前記第３の基板の面方向に対して垂直方向に重なるよう配置させ、前記第１の基板と第３の基板との間に第１の放電素子を設け、前記第２の基板と第３の基板との間に第２の放電素子を設け、前記第２の放電素子は前記第１の放電素子と前記第３の基板の面方向に対して垂直方向に重なる構成を有し、前記複数のサブフィールド期間を、前記第１及び第２の放電素子毎に振り分けたことを特徴とするプラズマディスプレイパネルの駆動方法により、解決できる。
【００３７】
上記発明によれば、複数のサブフィールド期間を、前記第１及び第２の放電素子毎に振り分け、走査ラインの数を増加させた際、維持放電期間を短くすることなく、従来と同じ長さのパルス印加時間でアドレス放電を行うことにより、高精細な画像を安定して表示することができる。
【００３８】
請求項６記載の発明では、前記複数のサブフィールド期間を、前記第１及び第２の放電素子毎に振り分けることにより生じる時間的自由度を、維持放電期間に割り当てることを特徴とする請求項５に記載のプラズマディスプレイパネルの駆動方法により、解決できる。
【００３９】
上記発明によれば、複数のサブフィールド期間を、第１及び第２の放電素子毎に振り分けた際に生じる時間的自由度を、第１の放電素子又は第２の放電素子の維持放電期間に割り当てることにより、第１の放電素子又は第２の放電素子の発光強度を調整することができる。なお、ここでの時間的自由度とは、１フィールド期間の時間のうちリセット放電期間、アドレス放電期間、及び維持放電期間のいずれの期間にも使用されていない余った時間のことである。
請求項７記載の発明では、１フィールド期間内に複数のサブフィールド期間を設けて明るさを制御するサブフィールド法を用いて駆動されるプラズマディスプレイパネルであって、走査方向と直交する方向に形成された第１の表示電極を備えた第１の基板と、前記走査方向に形成された第１のアドレス電極を備えた第２の基板と、前記第１の基板と第２の基板との間に配置され、前記第１の基板側に形成された第２のアドレス電極と前記第２の基板側に形成された第２の表示電極とを備えた複数の第３の基板とを有しており、前記第２の表示電極の各々を前記第１の表示電極と前記第３の基板の面方向に対して垂直方向に重なるよう配置させ、前記第１の基板と第３の基板との間に第１の放電素子を設け、前記第２の基板と第３の基板との間に第２の放電素子を設け、対向する前記第３の基板同士の間にそれぞれ第３の放電素子を設け、前記第２の放電素子及び前記第３の放電素子は前記第１の放電素子と前記第３の基板の面方向に対して垂直方向に重なり、前記複数のサブフィールド期間は、前記第１、第２及び第３の放電素子毎に振り分けられたことを特徴とするプラズマディスプレイパネルにより、解決できる。
上記発明によれば、第１の基板と第２の基板との間に第３の基板を複数設けることにより、第３の基板間に放電素子を設け、１フィールド期間内に設けられた複数のサブフィールド期間を、第１及び第２の放電素子と第３の基板間に設けられた放電素子とのそれぞれに振り分けることができる。これにより、走査ラインの数を増加させた場合において、維持放電期間を短くすることなく、従来と同じ長さのパルス印加時間でアドレス放電を行って、安定して駆動させることができると共に、高精細な画像を表示することができる。
請求項８記載の発明では、前記第１、第２及び第３の放電素子は、それぞれ放電空間を有しており、前記第１、第２及び第３の放電素子は、前記放電空間に接する蛍光体を備えたことを特徴とする請求項７に記載のプラズマディスプレイパネルにより、解決できる。
請求項９記載の発明では、前記第１、第２及び第３の放電素子を維持放電させる際に印加するパルスの周期を、前記第１、第２及び第３の放電素子毎に設定したことを特徴とする請求項７又は８に記載のプラズマディスプレイパネルにより、解決できる。
請求項１０記載の発明では、前記第１、第２及び第３の放電素子を前記維持放電させるために印加するパルスの振幅を、前記第１、第２及び第３の放電素子毎に設定したことを特徴とする請求項７乃至９のいずれか１項に記載のプラズマディスプレイパネルにより、解決できる。
請求項１１記載の発明では、１フィールド期間内に複数のサブフィールド期間を設けて明るさを制御するサブフィールド法を用いたプラズマディスプレイパネルの駆動方法であって、前記プラズマディスプレイパネルは、走査方向と直交する方向に形成された第１の表示電極を備えた第１の基板と、前記走査方向に形成された第１のアドレス電極を備えた第２の基板と、前記第１の基板と第２の基板との間に配置され、前記第１の基板側に形成された第２のアドレス電極と前記第２の基板側に形成された第２の表示電極とを備えた複数の第３の基板とを有しており、前記第２の表示電極の各々を前記第１の表示電極と前記第３の基板の面方向に対して垂直方向に重なるよう配置させ、前記第１の基板と第３の基板との間に第１の放電素子を設け、前記第２の基板と第３の基板との間に第２の放電素子を設け、対向する前記第３の基板同士の間にそれぞれ第３の放電素子を設け、前記第２の放電素子及び前記第３の放電素子は前記第１の放電素子と前記第３の基板の面方向に対して垂直方向に重なる構成を有し、前記複数のサブフィールド期間を、前記第１、第２及び第３の放電素子毎に振り分けたことを特徴とするプラズマディスプレイパネルの駆動方法により、解決できる。
請求項１２記載の発明では、前記複数のサブフィールド期間を、前記第１、第２及び第３の放電素子毎に振り分けることにより生じる時間的自由度を、維持放電期間に割り当てることを特徴とする請求項１１に記載のプラズマディスプレイパネルの駆動方法により、解決できる。
【発明の効果】
【００４０】
上述の如く本発明によれば、高精細な画像を安定して表示することのできるプラズマディスプレイパネル及びその駆動方法を提供することができる。
【発明を実施するための最良の形態】
【００４１】
次に、図面に基づいて本発明の実施例を説明する。
【００４２】
（第１実施例）
始めに、図７及び図８を参照して、本発明の第１実施例によるＰＤＰ６０の概略の構成について説明する。図７は、本発明の第１実施例によるＰＤＰの分解斜視図である。なお、図７において、Ｙ，Ｙ方向は、走査方向（アドレス電極７７，８７の延在方向）を示しており、Ｘ，Ｘ方向は、走査方向に対して直交する水平方向（表示電極６７，９１の延在方向）を示している。
【００４３】
ＰＤＰ６０は、第１の放電素子１０１と第２の放電素子１０２とを有しており、大略すると第１の基板である前面板６５と、第２の基板である背面板７５と、第３の基板である中間基板８５と、駆動制御装置（図示せず）とを備えた構成とされている。駆動制御装置は、ＰＤＰ６０の駆動制御を行うためのものである。前面板６５は、背面板７５と対向するように配置されており、中間基板８５は、前面板６５と背面板７５との間に配置されている。また、ＰＤＰ６０には、ｎ本（ｎは自然数）の走査ライン７０が設けられている。
【００４４】
前面板６５は、大略するとガラス基板６６と、第１の表示電極である表示電極６７と、電極母線７１と、誘電体層７２と、保護膜７３とを有した構成とされている。
【００４５】
ガラス基板６６の中間基板９５と対向する面には、水平方向に延在するｎ本の表示電極６７が帯状に設けられている（以下、それぞれの表示電極６７を示す場合には、表示電極６７−１、表示電極６７−２、・・・、表示電極６７−ｎとする。）。表示電極６７は、走査電極６８と、維持電極６９とにより構成されており、走査電極６８と維持電極６９とは、それぞれｎ本ずつ設けられており、走査電極６８と維持電極６９とは、水平方向に対して平行となるよう配置されている（以下、それぞれの走査電極６８を示す場合には、走査電極６８−１、走査電極６８−２、・・・、走査電極６８−ｎとし、それぞれの維持電極６９を示す場合には、維持電極６９−１、維持電極６９−２、維持電極６９−ｎとする。）。走査電極６８及び維持電極６９は、例えばＩＴＯやＳｎＯ２等の材料を用いることができ、厚さは例えば１５０ｎｍ程度に形成することができる。
【００４６】
走査電極６８及び維持電極６９には、それぞれ走査方向に延在する電極母線７１が形成されている。電極母線７１は、抵抗値を下げるためのものである。電極母線７１の材料には、例えばＣｒ−Ｃｕ−Ｃｒ、Ａｇ等の材料を用いることができ、電極母線７１の厚さは、例えば数μｍ程度に形成することができる。電極母線７１は、エッチング法や、感光性成分を含ませた電極母線７１となる材料を直接露光することで形成することができる。
【００４７】
誘電体層７２は、表示電極６７が設けられたガラス基板６６上、表示電極６７、及び電極母線７１を覆うように形成されている。保護膜７３は、誘電体層７２上に形成されている。誘電体層７２及び保護膜７３を形成する際の材料には、可視発光領域の透過性の高い材料を用いることができる。誘電体層７２の厚さは、例えば１０〜４０μｍ程度に形成することができ、保護膜７３の厚さは、例えば５００〜８００ｎｍ程度に形成することができる。なお、誘電体層７２及び保護膜７３は、表示電極６７及び電極母線７１に対応した領域にのみ設けた構成としても良い。
【００４８】
背面板７５は、ガラス基板７６と、第１のアドレス電極であるアドレス電極７７と、誘電体層７８と、隔壁７９と、赤色蛍光体８１Ａと、青色蛍光体８１Ｂと、緑色蛍光体８１Ｃとを有した構成とされている。
【００４９】
ガラス基板７６の中間基板８５と対向する面には、走査方向に延在するｍ本のアドレス電極７７（ｍは自然数、各アドレス電極を示す場合には、アドレス電極７７−１〜７７−ｍとする。）が形成されている。アドレス電極７７には、例えばＡｌ等の金属材料を用いることができ、アドレス電極７７の厚さは、例えば数μｍ程度に形成することができる。誘電体層７８は、アドレス電極７７を覆うようガラス基板７６上に設けられている。誘電体層７８は、アドレス電極７７を保護するためのものである。誘電体層７８には、反射率が高く透明性の高い材料を用いると良く、例えば白色誘電体ペースト膜を用いることができる。また、誘電体層７８の厚さは、例えば１０〜４０μｍ程度に形成することができる。
【００５０】
誘電体層７８上には、ｍ本のアドレス電極８７を１本毎に分離するための隔壁７９が、走査方向に延在し、かつ中間基板８５に設けられた隔壁８９と対向するよう複数設けられている。隔壁７９の水平方向の幅Ｌ３は、後述する隔壁８９間の幅Ｌ２と略同じとなるように構成されている。隔壁７９の材料には、例えばＰｂＯ、Ｂ２Ｏ３、ＳｉＯ２等の粉末をガラスペースト化させたものを用いることができる。また、隔壁７９の高さは、例えば９０〜１８０μｍ、隔壁７９の幅は、例えば２０〜１００μｍ程度に形成することができる。隔壁７９は、スクリーン印刷法やサンドブラスト法により形成することができる。
【００５１】
赤色蛍光体８１Ａ、青色蛍光体８１Ｂ、及び緑色蛍光体８１Ｃは、誘電体層７８上と隔壁７９の側壁とに亘って形成されており、カラー画像を表示可能な構成とされている。赤色蛍光体８１Ａ、青色蛍光体８１Ｂ、及び緑色蛍光体８１Ｃは、例えば、水平方向に対して赤色蛍光体８１Ａ、青色蛍光体８１Ｂ、緑色蛍光体８１Ｃの順に配設することができる。
【００５２】
赤色蛍光体８１Ａの材料には、例えば(Y,Gd)BO3:Eu3+、青色蛍光体８１Ｂの材料には、例えばBaMgAl10O17:Eu2+、緑色蛍光体８１Ｃの材料には、例えばZn2SiO4:Mn2+を用いることができる。また、赤色蛍光体８１Ａ、青色蛍光体８１Ｂ、及び緑色蛍光体８１Ｃは、例えばスクリーン印刷法により１０〜２０μｍ程度に形成することができる。
【００５３】
背面板７５には、後述する放電空間１０７内の不要なガスの排気、及び放電させる際に必要な封入ガスを封入するための貫通穴（図示せず）が少なくとも１つ以上形成されている。なお、この貫通穴は、前面板６５に設けても良い。
【００５４】
中間基板８５は、大略するとガラス基板８６と、第２のアドレス電極であるアドレス電極８７と、誘電体層８８と、隔壁８９と、赤色蛍光体１０５Ａと、青色蛍光体１０５Ｂと、緑色蛍光体１０５Ｃと、第２の表示電極である表示電極９１と、電極母線９４と、誘電体層９５と、保護膜９６とを有した構成とされている。
【００５５】
前面板６５と対向するガラス基板８６上には、走査方向に延在するｍ本（背面板７５に設けられたアドレス電極７７と同じ数）のアドレス電極８７（以下、それぞれのアドレス電極８７を示す場合には、アドレス電極８７−１、アドレス電極８７−２、・・・、アドレス電極８７−ｍとする。）が設けられており、このアドレス電極８７は、背面板７５に設けられたアドレス電極７７と対向するよう配置されている。
【００５６】
アドレス電極８７には、ＩＴＯやＳｎＯ２等の透明電極材料、又はＡｌ等の金属電極材料を用いることができ、アドレス電極８７の厚さは、例えば数μｍ以下に形成することができる。また、Ａｌ等の金属電極材料を用いる場合には、アドレス電極８７の水平方向の幅Ｌ１の大きさを隔壁８９間の幅Ｌ２の大きさの半分以下となるよう構成すると良い。
【００５７】
誘電体層８８は、アドレス電極８７を覆うようガラス基板８６上に形成されている。誘電体層８８は、アドレス電極８７を保護するためのものである。誘電体層８８には、反射率が高く透明性の高い材料を用いると良く、例えば白色誘電体ペースト膜を用いることができる。また、誘電体層８８の厚さは、例えば１０〜４０μｍ程度に形成することができる。
【００５８】
誘電体層８８上には、ｍ本のアドレス電極８７を１本毎に分離するための隔壁８９が、走査方向に延在し、かつ背面板７５に設けられた隔壁７９と対向するよう複数設けられている。隔壁８９は、ＰｂＯ、Ｂ２Ｏ３、ＳｉＯ２等の粉末をガラスペースト化させたものを用いることができる。また、隔壁８９の高さは、例えば９０〜１８０μｍ、隔壁８９の水平方向の幅Ｌ２は、例えば２０〜１００μｍ程度に形成することができる。隔壁８９は、スクリーン印刷法やサンドブラスト法により形成することができる
赤色蛍光体１０５Ａは、赤色蛍光体８１Ａと対向するよう誘電体層８８上と隔壁８９の側壁とに亘って形成され、青色蛍光体１０５Ｂは、青色蛍光体８１Ｂと対向するよう誘電体層８８上と隔壁８９の側壁とに亘って形成されている。また、緑色蛍光体１０５Ｃは、緑色蛍光体８１Ｃと対向するよう誘電体層８８上と隔壁８９の側壁とに亘って形成されている。
【００５９】
赤色蛍光体１０５Ａの材料には、例えば(Y,Gd)BO3:Eu3+、青色蛍光体１０５Ｂの材料には、例えばBaMgAl10O17:Eu2+、緑色蛍光体１０５Ｃの材料には、例えばZn2SiO4:Mn2+を用いることができる。また、本実施例では、ガラス基板８６を介して、前面板６５の面方向に垂直な方向に第１の放電素子１０１と第２の放電素子１０２とが対向するよう配置されている。そのため、第２の放電素子１０２が発光した際の光を赤色蛍光体１０５Ａ、青色蛍光体１０５Ｂ、及び緑色蛍光体１０５Ｃのいずれか１つを介して前面板６５側に通過させる必要があり、この際の透過率は５０％以上であることが好ましい。
【００６０】
したがって、中間基板８５に設ける赤色蛍光体１０５Ａ、青色蛍光体１０５Ｂ、及び緑色蛍光体１０５Ｃの厚さは、１０μｍ以下にすると良く、例えば、スクリーン印刷法により赤色蛍光体１０５Ａ、青色蛍光体１０５Ｂ、及び緑色蛍光体１０５Ｃの厚さを８μｍに形成した場合には、５０％程度の透過率が得ることができる。また、ＥＢ蒸着法やＣＶＤ法により赤色蛍光体１０５Ａ、青色蛍光体１０５Ｂ、及び緑色蛍光体１０５Ｃの厚さを０．３μｍ〜１．０μｍ程度に形成することで、８０％以上の透過率を得ることができる。
【００６１】
背面板７５と対向するガラス基板８６上には、水平方向に延在するｎ本（前面板６５に設けられた表示電極６７と同じ数）の表示電極９１が帯状に設けられている（以下、それぞれの表示電極９１を示す場合には、表示電極９１−１、表示電極９１−２、・・・、表示電極９１−ｎとする。）。
【００６２】
表示電極９１は、走査電極９２と、維持電極９３とにより構成されており、走査電極９２と維持電極９３とは、それぞれｎ本ずつ設けられており、走査電極９２と維持電極９３とは、水平方向に対して平行となるよう配置されている（以下、それぞれの走査電極９２を示す場合には、走査電極９２−１、走査電極９２−２、走査電極９２−ｎとし、それぞれの維持電極９３を示す場合には、維持電極９３−１、維持電極９３−２、維持電極９３−ｎとする。）。走査電極９２及び維持電極９３は、例えばＩＴＯやＳｎＯ２等の材料を用いることができ、走査電極９２及び維持電極９３の厚さは、例えば１５０ｎｍ程度に形成することができる。
【００６３】
走査電極９２及び維持電極９３には、それぞれ走査方向に延在する電極母線９４が形成されている。電極母線９４は、抵抗値を下げるためのものである。電極母線９４の材料には、例えばＣｒ−Ｃｕ−Ｃｒ、Ａｇ等の材料を用いることができ、電極母線９４の厚さは、例えば数μｍ程度に形成することができる。電極母線９４は、エッチング法や、感光性成分を含ませた電極母線７１となる材料を直接露光することで形成することができる。
【００６４】
誘電体層９５は、表示電極９１及び電極母線９４が設けられた側のガラス基板８６上を覆うように形成されている。保護膜９６は、誘電体層９５を覆うように形成されている。誘電体層９５及び保護膜９６を形成する際の材料には、可視発光領域の透過性の高い材料を用いると良い。誘電体層９５の厚さは、例えば１０〜４０μｍ程度に形成することができ、保護膜９６の厚さは、例えば５００〜８００ｎｍ程度に形成することができる。なお、誘電体層９５は、表示電極９１及び電極母線９４に対応した領域にのみ設けても良い。
【００６５】
中間基板８５には、放電空間９１，１０７内の不要なガスの排気、及び放電させる際に必要なガスを封入するための貫通穴（図示せず）が少なくとも１つ以上形成されている。
【００６６】
次に、図８及び図９を参照して、前面板６５と中間基板８５とを貼り合わせることで形成される第１の放電素子１０１について説明する。図８は、図７に示したＰＤＰを組み立ててＢ視した図であり、図９は、図７に示したＰＤＰを組み立ててＣ視した図である。
【００６７】
第１の放電素子１０１は、ガラス基板６６とガラス基板８６との間に形成されており、水平方向は隔壁８９により仕切られている。第１の放電素子１０１は、大略すると表示電極６７と、電極母線７１と、誘電体層７２と、保護膜７３と、アドレス電極８７と、誘電体層８８と、放電空間９１と、赤色蛍光体１０５Ａ、青色蛍光体１０５Ｂ、及び緑色蛍光体１０５Ｃのいずれか１つとを有した構成とされており、各蛍光体１０５Ａ〜１０５Ｃと保護膜７３との間には、それぞれ放電空間９１が形成されている。
【００６８】
次に、図８及び図９を参照して、中間基板８５と背面板７５とを積層させることで形成される第２の放電素子１０２について説明する。第２の放電素子１０２は、ガラス基板７６とガラス基板８６との間に形成されており、水平方向は隔壁７９により仕切られている。第２の放電素子１０２は、大略すると表示電極９１と、電極母線９４と、誘電体層９５と、保護膜９６と、アドレス電極７７と、誘電体層７８と、放電空間１０７と、赤色蛍光体８１Ａ、青色蛍光体８１Ｂ、及び緑色蛍光体８１Ｃのいずれか１つとを有した構成とされており、各蛍光体８１Ａ〜８１Ｃと保護膜９６との間には、放電空間１０７が形成されている。
【００６９】
赤色蛍光体１０５Ａを備えた第１の放電素子１０１と赤色蛍光体８１Ａを備えた第２の放電素子１０２とは、前面板６５の面方向に対して垂直方向に対向するよう配置され、青色蛍光体１０５Ｂを備えた第１の放電素子１０１と青色蛍光体８１Ｂを備えた第２の放電素子１０２とは、前面板６５の面方向に対して垂直方向に対向するよう配置されている。また、緑色蛍光体１０５Ｃを備えた第１の放電素子１０１と緑色蛍光体８１Ｃを備えた第２の放電素子１０２とは、前面板６５の面方向に対して垂直方向に対向するよう配置されている。また、画素１１０は、赤色蛍光体１０５Ａを備えた第１の放電素子１０１と、青色蛍光体１０５Ｂを備えた第２の放電素子１０１と、緑色蛍光体１０５Ｃを備えた第１の放電素子１０１と、赤色蛍光体８１Ａを備えた第２の放電素子１０２と、青色蛍光体８１Ｂを備えた第２の放電素子１０２と、緑色蛍光体８１Ｃを備えた第２の放電素子１０２とにより構成されている。
【００７０】
第１の放電素子１０１と第２の放電素子１０２とは、それぞれ表示電極とアドレス電極とを有しており、第１及び第２の放電素子１０１，１０２を駆動させる際には、第１の放電素子１０１と第２の放電素子１０２とに対して別々に電圧パルスが印加される。
【００７１】
これにより、１フィールド期間内に設けられた複数のサブフィールド期間を、第１の放電素子１０１と第２の放電素子１０２とに対して振り分けることができる。
【００７２】
このように、表示電極及びアドレス電極に対して電圧パルスを別々に印加して制御可能な第１及び第２の放電素子１０１，１０２を前面板６５の面方向に対して垂直方向に対向させて配置することにより、サブフィールド法を用いて画像の明るさを調整する際、１フィールド期間内に設けられた複数のサブフィールド期間を、第１及び第２の放電素子１０１，１０２毎に振り分けることができ、従来の走査ライン（４８０本）よりも走査ライン７０の数（ｎ本）を増加させた際、維持放電期間を短くすることなく、従来と同じ長さのパルス印加時間（ｔａｄｄ）でアドレス放電を行って、ＰＤＰ６０を安定して駆動できると共に、高精細な画像を表示することができる。
【００７３】
次に、図１０乃至図１２を参照して、ｎ本の走査ライン７０により２５６階調の画像を表示する際、ＳＦ１〜ＳＦ５を第１の放電素子１０１に割り当て、ＳＦ６〜ＳＦ８を第２の放電素子１０２に割り当てた場合を例に挙げて、ＰＤＰ６０の駆動方法について説明する。
【００７４】
図１０は、第１実施例のＰＤＰのサブフィールド法による階調表示方式を示した図であり、図１１は、ＳＦ１の期間における第１の放電素子の駆動波形を示した図であり、図１２は、ＳＦ６の期間における第２の放電素子の駆動波形を示した図である。なお、図１０において、上方に示した階調表示方式の左側に記載した６８−１、６８−２、・・・、６８−ｎは、データ書き込み用の電圧パルスが走査電極６８−１、走査電極６８−２、・・・、走査電極６８−ｎの順に印加されていることを示しており、図１０の下方に示した階調表示方式の左側に記載した９２−１、９２−２、・・・、９２−ｎは、データ書き込み用の電圧パルスが走査電極９２−１、走査電極９２−２、・・・、走査電極９２−ｎの順に印加されていることを示している。また、図１０に示した２つの階調表示方式の下側に記載した数字は、各サブフィールド（ＳＦ１〜ＳＦ８）における維持放電期間の発光時間比を示しており、図１０の横軸は時間を示している。
【００７５】
図１１において、（ａ）はアドレス電極８７の電圧パルス波形、（ｂ）は維持電極６９−１〜６９−ｎの電圧パルス波形、（ｃ）は１番目の走査電極６８−１の電圧パルス波形、（ｄ）は２番目の走査電極６８−２の電圧パルス波形、（ｅ）はｎ番目の走査電極６８−ｎの電圧パルス波形、ｔａｄｄはアドレス放電時のパルス印加時間（以下、パルス印加時間ｔａｄｄ）、Ｔ２は電圧パルスの繰り返し周期（以下、繰り返し周期Ｔ２）をそれぞれ示している。
【００７６】
図１２において、（ａ）はアドレス電極７７の電圧パルス波形、（ｂ）は維持電極９３−１〜９９−ｎの電圧パルス波形、（ｃ）は１番目の走査電極９２−１の電圧パルス波形、（ｄ）は２番目の走査電極９２−２の電圧パルス波形、（ｅ）はｎ番目の走査電極９２−ｎの電圧パルス波形、ｔａｄｄはアドレス放電時のパルス印加時間（以下、パルス印加時間ｔａｄｄ）、Ｔ３は電圧パルスの繰り返し周期（以下、繰り返し周期Ｔ３）をそれぞれ示している。
【００７７】
図１０に示すように、１フィールド期間を構成する８つのサブフィールド（ＳＦ１〜ＳＦ８）のうち、ＳＦ１〜ＳＦ５が第１の放電素子１０１に割り当てられ、ＳＦ６〜ＳＦ８が第２の放電素子１０２に割り当てられている。
【００７８】
次に、図１１を参照して、ＳＦ１の期間を例に挙げて、第１の放電素子１０１の駆動方法について説明する。ＳＦ１〜ＳＦ８は、リセット放電期間と、アドレス放電期間と、維持放電期間とを有した構成とされている。
【００７９】
図１１に示すように、リセット放電期間では、放電空間９１のリセット放電が行われ、それぞれの画素１１０に対応した前面板６５の表面に蓄積される電荷の状態が均一にされる。
【００８０】
続く、アドレス放電期間では、アドレス電極８７に印加されるパルス信号に同期して、データ書き込み用の電圧パルスが走査電極６８−１、走査電極６８−２、・・・、走査電極６８−ｎの順に印加される。このアドレス放電期間では、所定の走査電極６８に対応した複数の第１の放電素子１０１に対して、同時に選択書き込み放電され、アドレス放電期間内に全ての第１の放電素子１０１の選択書き込み放電が完了される。選択書き込み放電は、維持放電するための画素１１０を選択するための放電であり、この放電はアドレス電極８７と走査電極６８−１〜６８−ｎとの間で行われる。
【００８１】
次の維持放電期間では、電圧パルスが維持電極６９−１〜６９−ｎと、走査電極６８−１〜６８−ｎとに印加されて、アドレス放電期間に選択された放電素子１０１において、維持放電が持続的に起こり、表示される画像の階調に比例した放電発光が可能となる。
【００８２】
次に、図１２を参照して、ＳＦ６を例に挙げて、第２の放電素子１０２の駆動方法について説明する。図１２に示すように、リセット放電期間では、放電空間１０７のリセット放電が行われ、それぞれの画素１１０に対応した背面板７５に面した中間基板８５の表面に蓄積される電荷の状態が均一にされる。
【００８３】
続く、アドレス放電期間では、アドレス電極７７に印加されるパルス信号に同期して、データ書き込み用の電圧パルスが走査電極９２−１、走査電極９２−２、・・・、走査電極９２−ｎの順に印加される。このアドレス放電期間では、所定の走査電極９２に対応した複数の第２の放電素子１０２に対して、同時に選択書き込み放電され、アドレス放電期間内に全ての第２の放電素子１０２の選択書き込み放電が完了される。選択書き込み放電は、維持放電するための画素１１０を選択するための放電であり、この放電はアドレス電極７７と走査電極９２−１〜９２−ｎとの間で行われる。
【００８４】
次の維持放電期間では、電圧パルスが維持電極９３−１〜９３−ｎと、走査電極９２−１〜９２−ｎとに印加されて、アドレス放電期間に選択された放電素子１０２において、維持放電が持続的に起こり、表示画像の階調に比例した放電発光が可能となる。
【００８５】
次に、図１０を参照して、維持放電の繰り返し周期Ｔ２，Ｔ３を６０ｋＨｚとした場合のＰＤＰ６０が走査可能な走査ライン７０の数（ｎ本）について説明する。第１の放電素子１０１の維持放電期間（ＳＦ１〜ＳＦ５における）は、０．５２ｍｓｅｃ（＝３１×（１／（６０×１０００））ｓｅｃ）であり、１フィールド期間が１６．６７ｍｓｅｃ、サブフィールド数が５であることから、アドレス放電時のパルス印加時間ｔａｄｄを３μｓｅｃに設定した場合、第１の放電素子１０１における走査可能な走査ラインの数は、最大で１０７６ライン（＝（１６．６７ｍｓｅｃ−０．５２ｍｓｅｃ）／５／３μｓｅｃ）となる。
【００８６】
第２の放電素子１０２の維持放電期間（ＳＦ６〜ＳＦ８における）は、３．７３ｍｓｅｃ（＝２２４×（１／（６０×１０００））ｓｅｃ）であり、１フィールド期間が１６．６７ｍｓｅｃ、サブフィールド数が３であることから、アドレス放電時のパルス印加時間ｔａｄｄを３μｓｅｃに設定した場合、２の第電素子１０２における走査可能な走査ラインの数は、最大で１４３７ライン（＝（１６．６７ｍｓｅｃ−３．７３ｍｓｅｃ）／３／３μｓｅｃ）となる。
【００８７】
したがって、ＰＤＰ６０が走査可能な走査ライン７０の数は、１０７６本（ｎ＝１０７６）となり、本実施例のＰＤＰを適用することにより、従来の４８０本の走査ラインのＰＤＰ１０と比較して、約２倍の走査ライン７０を設けて、高精細な画像を表示させることができる。
【００８８】
ところで、第２の放電素子１０２が走査可能な走査ラインの数（ｎ本）は最大で１４３７ラインであるため、ＰＤＰ６０の走査ライン７０の数を１０７６本（ｎ＝１０７６）とした場合には、第２の放電素子１０２には、リセット放電期間、アドレス放電期間、及び維持放電期間に使用されていない時間ｔ１が約１ｍｓｅｃ（＝（１４３７−１０７６）×３μｓｅｃ）存在する。この時間ｔ１を第２の放電素子１０２の維持放電期間に割り当てることで、第１の放電素子１０１の下層に位置する第２の放電素子１０２の発光強度を大きくして、第１の放電素子１０１を構成する部材（アドレス電極８７、赤色蛍光体１０５Ａ、青色蛍光体１０５Ｂ、緑色蛍光体１０５Ｃ等）による第２の放電素子１０２の発光強度の減衰を抑制することができる。なお、時間ｔ１は、１フィールド期間の時間のうちリセット放電期間、アドレス放電期間、及び維持放電期間のいずれの期間にも使用されていない余った時間（時間的自由度）のことである。
【００８９】
また、第１及び第２の放電素子１０１，１０２は、表示電極及びアドレス電極をそれぞれ別個に設けた構成とされているため、維持放電期間における電圧パルスの繰り返し周期Ｔ２，Ｔ３や、表示電極及び／又はアドレス電極の振幅を放電素子１０１，１０２毎に適宜選択することで、第１及び第２の放電素子１０１，１０２の発光強度（輝度）を調整することができる。
【００９０】
さらに、第１及び第２の放電素子１０１，１０２に対して、１フィールド期間を構成するＳＦ１〜ＳＦ８をどのように割り当てるかについては、任意に選択することができ、例えば、ＳＦ１〜ＳＦ３とＳＦ８を第１の放電素子１０１に割り当て、ＳＦ４〜ＳＦ７を第２の放電素子１０２に割り当てても良い。
【００９１】
この場合には、第１の放電素子１０１の維持放電期間は、２．２５ｍｓｅｃ（＝１３５×（１／（６０×１０００））ｓｅｃ）であり、１フィールド期間が１６．６７ｍｓｅｃ、サブフィールド数が４であることから、アドレス放電時のパルス印加時間ｔａｄｄを３μｓｅｃに設定した場合、第２の放電素子１０２における走査可能な走査ラインの数は、最大で１２０１ライン（＝（１６．６７ｍｓｅｃ−２．２５ｍｓｅｃ）／４／３μｓｅｃ）となる。
【００９２】
第２の放電素子１０２の維持放電期間は、２．０ｍｓｅｃ（＝１２０×（１／（６０×１０００））ｓｅｃ）であり、１フィールド期間が１６．６７ｍｓｅｃ、サブフィールド数が４であることから、アドレス放電時のパルス印加時間ｔａｄｄを３μｓｅｃに設定した場合、第２の放電素子１０２における走査可能な走査ラインの数は、最大で１２２２ライン（＝（１６．６７ｍｓｅｃ−２．０ｍｓｅｃ）／４／３μｓｅｃ）となる。
【００９３】
したがって、この場合におけるＰＤＰ６０の走査可能な走査ライン７０の数は、１２０１本（ｎ＝１０７６）となり、従来の４８０本の走査ラインのＰＤＰ１０と比較して、約２．５倍の走査ライン７０を設けて、高精細な画像を安定して表示させることができる。
【００９４】
なお、サブフィールドを構成する維持放電期間の分割方法には、先に説明した２の累乗で分割する方法の他に、動画像表示に見られる擬似輪郭状ノイズを低減するために、維持放電期間の長いサブフィールドを分割して発光させる方式（例えば、特願平７−１７８５８３参照）もあり、このような方式に対しても、本実施例のＰＤＰ６０を適用することができる。また、図３に示したＰＤＰ３０や、図３に示したＰＤＰ３０の前面板４１に突起状の隔壁を設けたＰＤＰに対しても本実施例のＰＤＰ６０は適用することができる。
【００９５】
さらに、本実施例のＰＤＰ６０は、維持放電時に発生する封入ガスの可視発光（例えば、ネオンガスの場合はオレンジの発光。）を利用したモノクロ用のＰＤＰにも適用可能であり、その場合には、ＰＤＰ６０に赤色蛍光体８１Ａ，１０５Ａ、青色蛍光体８１Ｂ，１０５Ｂ、及び緑色蛍光体８１Ｃ，１０５Ｃを設ける必要はない。
【００９６】
（第２実施例）
始めに、図１３及び図１４を参照して、本発明の第２実施例によるＰＤＰ１２０の概略の構成について説明する。図１３は、本発明の第２実施例によるＰＤＰの分解斜視図である。なお、図１３において、Ｙ，Ｙ方向は、走査方向（アドレス電極８７（１），８７（２），７７の延在方向）を示しており、Ｘ，Ｘ方向は、走査方向に対して直交する水平方向（表示電極６７，９１（１），９１（２）の延在方向）を示している。また、図１３において、図７に示したＰＤＰ６０と同一構成部分には、同一の符号を付す。
【００９７】
ＰＤＰ１２０は、第１の放電素子１２１と、第２の放電素子１２２と、第３の放電素子１２３とを有しており、大略すると第１の基板である前面板６５と、第２の基板である背面板７５と、第３の基板である２枚の中間基板８５（１），８５（２）と、駆動制御装置（図示せず）とを備えた構成とされている。駆動制御装置は、ＰＤＰ１２０の駆動制御を行うためのものである。
【００９８】
前面板６５は、前面板６５に設けられた表示電極６７と背面板７５に設けられた蛍光体８１Ａ〜８１Ｃとが対向するように配置されている。
前面板６５と背面板７５との間には、中間基板８５（１）に設けられた蛍光体１０５Ａ〜１０５Ｃと表示電極６７とが対向するよう中間基板８５（１）が配置されている。また、中間基板８５（１）と背面板７５との間には、中間基板８５（２）に設けられた表示電極９１（２）と背面板７５に設けられた蛍光体８１Ａ〜８１Ｃとが対向するよう中間基板８５（２）が配置されている。
【００９９】
中間基板８５（１）及び中間基板８５（２）は、先の第１実施例で説明した中間基板８５と同一構成とされている。つまり、本実施例のＰＤＰ１２０は、第１実施例のＰＤＰ６０に設けられた中間基板８５をもう一枚追加（合計で２枚）した構成とされている。以下、説明の便宜上、図１３に示すように、中間基板８５（１）の構成部分には、中間基板８５の構成部分の符号に（１）を付し、中間基板８５（２）の構成部分には、中間基板８５の構成部分の符号に（２）を付して説明を行う。ＰＤＰ１２０には、ＰＤＰ６０と同様にｎ本の走査ライン７０が設けられている。
【０１００】
次に、図１４及び図１５を参照して、前面板６５と中間基板８５（１）とを貼り合わせることで形成される第１の放電素子１２１について説明する。図１４は、図１３に示したＰＤＰを組み立ててＢ視した図であり、図１５は、図１３に示したＰＤＰを組み立ててＣ視した図である。
【０１０１】
第１の放電素子１２１は、ガラス基板６６とガラス基板８６（１）との間に形成されており、水平方向は隔壁８９（１）により仕切られている。第１の放電素子１２１は、大略すると表示電極６７と、電極母線７１と、誘電体層７２と、保護膜７３と、アドレス電極８７（１）と、誘電体層８８（１）と、蛍光体１０５Ａ〜１０５Ｃのいずれか１つと、放電空間１２４とを有した構成とされており、各蛍光体１０５Ａ〜１０５Ｃと保護膜７３との間には、それぞれ放電空間１２４が形成されている。
【０１０２】
次に、図１４及び図１５を参照して、中間基板８５（１）と中間基板８５（２）とを貼り合わせることで形成される第２の放電素子１２２について説明する。第２の放電素子１２２は、ガラス基板８６（１）とガラス基板８６（２）との間に形成されており、水平方向は隔壁８９（２）により仕切られている。第２の放電素子１２２は、大略すると表示電極９１（１）と、電極母線９４（１）と、誘電体層９５（１）と、保護膜９６（１）と、アドレス電極８７（２）と、誘電体層８８（２）と、蛍光体１０５Ａ〜１０５Ｃのいずれか１つと、放電素子１２５とを有した構成とされており、各蛍光体１０５Ａ〜１０５Ｃと保護膜９６（１）との間には、それぞれ放電空間１２５が形成されている。
【０１０３】
次に、図１４及び図１５を参照して、中間基板８５（２）と背面板７５とを貼りあわせることにより形成される第３の放電素子１２３について説明する。第３の放電素子１２３は、ガラス基板８６（２）とガラス基板７６との間に形成されており、水平方向は隔壁７９により仕切られている。第３の放電素子１２３は、大略すると、表示電極９１（２）と、電極母線９４（２）と、誘電体層９５（２）と、保護膜９６（２）と、アドレス電極７７と、誘電体層７８と、放電素子１２６と、蛍光体８１Ａ〜８１Ｃのいずれか１つとを有した構成とされており、各蛍光体１０５Ａ〜１０５Ｃと保護膜９６（２）との間には、それぞれ放電空間１２６が形成されている。
【０１０４】
赤色蛍光体１０５Ａを備えた第１及び第２の放電素子１２１，１２２と、赤色蛍光体８１Ａを備えた第３の放電素子１２３とは、前面板６５の面方向に対して垂直方向に積み重ねられて配置され、青色蛍光体１０５Ｂを備えた第１及び第２の放電素子１２１，１２２と、青色蛍光体８１Ｂを備えた第３の放電素子１２３とは、前面板６５の面方向に対して垂直方向に積み重ねられて配置されている。緑色蛍光体１０５Ｃを備えた第１及び第２の放電素子１２１，１２２と、緑色蛍光体８１Ｃを備えた第３の放電素子１２３とは、前面板６５の面方向に対して垂直方向に積み重ねられて配置されている。
【０１０５】
第１乃至第３の放電素子１２１〜１２３は、それぞれ別々に表示電極とアドレス電極とを有しており、第１乃至第３の放電素子１２１〜１２３を駆動させる際、電圧パルスは第１乃至第３の放電素子１２１〜１２３とに対して別々に印加される。
【０１０６】
また、画素１３０は、赤色蛍光体１０５Ａを備えた第１の放電素子１２１と、青色蛍光体１０５Ｂを備えた第１の放電素子１２１と、緑色蛍光体１０５Ｃを備えた第１の放電素子１２１と、赤色蛍光体１０５Ａを備えた第２の放電素子１２２と、青色蛍光体１０５Ｂを備えた第２の放電素子１２２と、緑色蛍光体１０５Ｃを備えた第２の放電素子１２２と、赤色蛍光体８１Ａを備えた第３の放電素子１２３と、青色蛍光体８１Ｂを備えた第３の放電素子１２３と、緑色蛍光体８１Ｃを備えた第３の放電素子１２３とにより構成されている。
【０１０７】
このように、表示電極及びアドレス電極に対して電圧パルスを別々に印加して制御可能な第１乃至第３の放電素子１２１〜１２３を前面板６５の面方向に対して垂直方向に積み重ねて配置することにより、サブフィールド法を用いて画像の明るさを調整する際、１フィールド期間内に設けられた複数のサブフィールド期間を、第１乃至第３の放電素子１２１〜１２３のそれぞれに振り分けることで、走査ライン７０の数（ｎ本）を増加させた際、維持放電期間を短くすることなく、従来と同じ長さのパルス印加時間（ｔａｄｄ）でアドレス放電を行い、高精細な画像を安定して表示させることができる。
【０１０８】
次に、図１６乃至図１９を参照して、２５６階調の画像を表示する場合において、ＳＦ１〜ＳＦ３を第１の放電素子１２１に割り当て、ＳＦ４〜ＳＦ６を第２の放電素子１２２に割り当て、ＳＦ７とＳＦ８とを第３の放電素子１２３に割り当てた場合を例に挙げて、ＰＤＰ１２０の駆動方法について説明する。
【０１０９】
図１６は、第２実施例のＰＤＰのサブフィールド法による階調表示方式を示した図である。また、図１７は、ＳＦ１の期間における第１の放電素子の駆動波形を示した図であり、図１８は、ＳＦ４の期間における第２の放電素子の駆動波形を示した図であり、図１９は、ＳＦ７の期間における第３の放電素子の駆動波形を示した図である。
【０１１０】
なお、図１６において、上段に示した階調表示方式の左側に記載した６８−１、６８−２、・・・、６８−ｎは、データ書き込み用の電圧パルスが走査電極６８−１、走査電極６８−２、・・・、走査電極６８−ｎの順に印加されていることを示しており、中段に示した階調表示方式の左側に記載した９２（１）−１、９２（１）−２、・・・、９２（１）−ｎは、データ書き込み用の電圧パルスが走査電極９２（１）−１、走査電極９２（１）−２、・・・、走査電極９２（１）−ｎの順に印加されていることを示しており、下段に示した階調表示方式の左側に記載した９２（２）−１、９２（２）−２、・・・、９２（２）−ｎは、データ書き込み用の電圧パルスが走査電極９２（２）−１、走査電極９２（２）−２、・・・、走査電極９２（２）−ｎの順に印加されていることを示している。
【０１１１】
また、図１６に示した３つの階調表示方式の下側に記載した数字は、各サブフィールド（ＳＦ１〜ＳＦ８）における維持放電期間の発光時間比を示しており、図１６の横軸は時間を示している。
【０１１２】
図１７において、（ａ）はアドレス電極８７（１）の電圧パルス波形、（ｂ）は維持電極６９−１〜６９−ｎの電圧パルス波形、（ｃ）は１番目の走査電極６８−１の電圧パルス波形、（ｄ）は２番目の走査電極６８−２の電圧パルス波形、（ｅ）はｎ番目の走査電極６８−ｎの電圧パルス波形、ｔａｄｄはアドレス放電時のパルス印加時間（以下、パルス印加時間ｔａｄｄ）、Ｔ４は電圧パルスの繰り返し周期（以下、繰り返し周期Ｔ４）をそれぞれ示している。
【０１１３】
図１８において、（ａ）はアドレス電極８７（２）の電圧パルス波形、（ｂ）は維持電極９３（１）−１〜９３（１）−ｎの電圧パルス波形、（ｃ）は１番目の走査電極９２（１）−１の電圧パルス波形、（ｄ）は２番目の走査電極９２（１）−２の電圧パルス波形、（ｅ）はｎ番目の走査電極９２（１）−ｎの電圧パルス波形、ｔａｄｄはアドレス放電時のパルス印加時間（以下、パルス印加時間ｔａｄｄ）、Ｔ５は電圧パルスの繰り返し周期（以下、繰り返し周期Ｔ５）をそれぞれ示している。
【０１１４】
図１９において、（ａ）はアドレス電極７７の電圧パルス波形、（ｂ）は維持電極９３（２）−１〜９３（２）−ｎの電圧パルス波形、（ｃ）は１番目の走査電極９２（２）−１の電圧パルス波形、（ｄ）は２番目の走査電極９２（２）−２の電圧パルス波形、（ｅ）はｎ番目の走査電極９２（２）−ｎの電圧パルス波形、ｔａｄｄはアドレス放電時のパルス印加時間（以下、パルス印加時間ｔａｄｄ）、Ｔ６は電圧パルスの繰り返し周期（以下、繰り返し周期Ｔ６）をそれぞれ示している。
【０１１５】
第１の放電素子１２１は、ＳＦ１において、図１７に示すような電圧パルスをアドレス電極８７（１）、維持電極６９−１〜６９−ｎ、走査電極６８−１〜６８−ｎに印加することで駆動される。第２の放電素子１２２は、ＳＦ４において、図１８に示すような電圧パルスをアドレス電極８７（２）、維持電極９３（１）−１〜９３（１）−ｎ、走査電極９２（１）−１〜走査電極９２（１）−ｎに印加することで駆動される。また、第３の放電素子１２３は、ＳＦ７において、図１９に示すような電圧パルスをアドレス電極７７、維持電極９３（２）−１〜９３（２）−ｎ、走査電極９２（２）−１〜走査電極９２（２）−ｎに印加することで駆動される。
【０１１６】
次に、図１６を参照して、維持放電の繰り返し周期Ｔ４，Ｔ５，Ｔ６を６０ｋＨｚとした場合のＰＤＰ１２０が走査可能な走査ライン７０の数（ｎ本）について説明する。第１の放電素子１２１の維持放電期間（ＳＦ１〜ＳＦ３における）は、約０．１２ｍｓｅｃ（＝７×（１／（６０×１０００））ｓｅｃ）であり、１フィールド期間が１６．６７ｍｓｅｃ、サブフィールド数が３であることから、アドレス放電時のパルス印加時間ｔａｄｄを３μｓｅｃに設定した場合、第１の放電素子１２１における走査可能な走査ラインの数は、最大で１８３８ライン（＝（１６．６７ｍｓｅｃ−０．１２ｍｓｅｃ）／３／３μｓｅｃ）となる。
【０１１７】
第２の放電素子１２２の維持放電期間（ＳＦ４〜ＳＦ６における）は、約０．９３ｍｓｅｃ（＝５６×（１／（６０×１０００））ｓｅｃ）であり、１フィールド期間が１６．６７ｍｓｅｃ、サブフィールド数が３であることから、アドレス放電時のパルス印加時間ｔａｄｄを３μｓｅｃに設定した場合、第２の放電素子１２２における走査可能な走査ラインの数は、最大で１７４８ライン（＝（１６．６７ｍｓｅｃ−０．９３ｍｓｅｃ）／３／３μｓｅｃ）となる。
【０１１８】
第３の放電素子１２３の維持放電期間（ＳＦ７〜ＳＦ８における）は、約３．２ｍｓｅｃ（＝１９２×（１／（６０×１０００））ｓｅｃ）であり、１フィールド期間が１６．６７ｍｓｅｃ、サブフィールド数が２であることから、アドレス放電時のパルス印加時間ｔａｄｄを３μｓｅｃに設定した場合、第２の放電素子１２２における走査可能な走査ラインの数は、最大で２２４５ライン（＝（１６．６７ｍｓｅｃ−３．２ｍｓｅｃ）／２／３μｓｅｃ）となる。
【０１１９】
したがって、ＰＤＰ１２０が走査可能な走査ライン７０の数（ｎ本）は、１７４８本（ｎ＝１７４８）となる。よって、本実施例のＰＤＰ１２０を適用することにより、従来の４８０本の走査ラインのＰＤＰ１０と比較して、約３．５倍の数の走査ライン７０を設けて、高精細な画像を安定して表示させることができる。
【０１２０】
ところで、第１の放電素子１２１における走査可能な走査ラインの数が最大で１４３７ラインであるため、ＰＤＰ１２０が走査可能な走査ライン７０の数を１７４８本（ｎ＝１７４８）とした場合には、第１の放電素子１２１には、リセット放電期間、アドレス放電期間、及び維持放電期間に使用されていない時間ｔ２が約０．２７ｍｓｅｃ（＝（１８３８−１７４８）×３μｓｅｃ）存在する。この時間ｔ２を第１の放電素子１２１の維持放電期間に割り当てることで、第１の放電素子１２１の発光強度を大きくすることができる。
【０１２１】
また、第３の放電素子１２３における走査可能な走査ラインの数が最大で２２４５ラインであるため、ＰＤＰ１２０が走査可能な走査ライン７０の数（ｎ本）を１７４８本（ｎ＝１７４８）とした場合には、第３の放電素子１２３には、リセット放電期間、アドレス放電期間、及び維持放電期間に使用されていない時間ｔ３が約１．４９ｍｓｅｃ（＝（２２４５−１７４８）×３μｓｅｃ）存在する。この時間ｔ３を第３の放電素子１２３の維持放電期間に割り当てることで、第３の放電素子１２３の発光強度（輝度）を大きくすることができる。この時間ｔ３を第３の放電素子１２３の維持放電期間に割り当てることで、第２の放電素子１２２の下層に位置する第３の放電素子１２３の発光強度を大きくして、第１及び第２の放電素子１２１，１２２を構成する部材による発光強度の減衰を抑制することができる。なお、時間ｔ２及び時間ｔ３は、１フィールド期間の時間のうちリセット放電期間、アドレス放電期間、及び維持放電期間のいずれの期間にも使用されていない余った時間（時間的自由度）のことである。
【０１２２】
また、第１乃至第３の放電素子１２１〜１２３は、表示電極、アドレス電極をそれぞれ別個に設けた構成とされているため、維持放電期間における電圧パルスの繰り返し周期Ｔ４〜Ｔ６や、表示電極及び／又はアドレス電極の振幅を放電素子１２１〜１２３毎に適宜選択することで、第１乃至第３の放電素子１２１〜１２３のそれぞれの発光強度（輝度）を調整することができる。
【０１２３】
さらに、第１乃至第３の放電素子１２１〜１２３に対して、１フィールド期間を構成するＳＦ１〜ＳＦ８をどのように割り当てるかについては、任意に選択することができる。
【０１２４】
なお、本実施例では、前面板６５と背面板７５との間に２枚の中間基板８５（１），８５（２）を設けた場合を例に挙げたが、前面板６５と背面板７５との間に２枚以上の中間基板８５を設けた構成としても良い。また、サブフィールドを構成する維持放電期間の分割方法には、先に説明した２の累乗で分割する方法の他に、動画像表示に見られる擬似輪郭状ノイズを低減するために、維持放電期間の長いサブフィールドを分割して発光させる方式（例えば、特願平７−１７８５８３参照）もあり、このような方式に対しても、本実施例のＰＤＰ１２０を適用することができる。また、本実施例のＰＤＰ１２０は、維持放電時に発生する封入ガスの可視発光（例えば、ネオンガスの場合はオレンジの発光。）を利用したモノクロ用のＰＤＰにも適用可能であり、その場合には、ＰＤＰ１２０に赤色蛍光体８１Ａ，１０５Ａ、青色蛍光体８１Ｂ，１０５Ｂ、及び緑色蛍光体８１Ｃ，１０５Ｃを設ける必要はない。さらに、図３に示したＰＤＰ３０や、図３に示したＰＤＰ３０の前面板４１に突起状の隔壁を設けたＰＤＰに対しても本実施例のＰＤＰ１２０を適用することができる。
【０１２５】
以上本発明の好ましい実施例について詳述したが、本発明は係る特定の実施例に限定されるものではなく、特許請求の範囲に記載された本発明の要旨の範囲内において、種々の変形、変更が可能である。
【産業上の利用可能性】
【０１２６】
本発明は、高精細な画像を安定して表示させることのできるプラズマディスプレイパネル及びその駆動方法に適用できる。
【図面の簡単な説明】
【０１２７】
【図１】従来技術のＰＤＰの斜視図である。
【図２】図１に示したＰＤＰの平面図である。
【図３】図１に示したＰＤＰをＡ視した図である。
【図４】他の従来技術であるＰＤＰの分解斜視図である。
【図５】１フィールド期間で２５６階調の画像をＰＤＰが表示する際の階調表示例を示した図である。
【図６】ＰＤＰの駆動波形を示した図である。
【図７】本発明の第１実施例によるＰＤＰの分解斜視図である。
【図８】図７に示したＰＤＰを組み立ててＢ視した図である。
【図９】図７に示したＰＤＰを組み立ててＣ視した図である。
【図１０】第１実施例のＰＤＰのサブフィールド法による階調表示方式を示した図である。
【図１１】ＳＦ１の期間における第１の放電素子の駆動波形を示した図である。
【図１２】ＳＦ６の期間における第２の放電素子の駆動波形を示した図である。
【図１３】本発明の第２実施例によるＰＤＰの分解斜視図である。
【図１４】図１３に示したＰＤＰを組み立ててＢ視した図である。
【図１５】図１３に示したＰＤＰを組み立ててＣ視した図である。
【図１６】第２実施例のＰＤＰのサブフィールド法による階調表示方式を示した図である。
【図１７】ＳＦ１の期間における第１の放電素子の駆動波形を示した図である。
【図１８】ＳＦ４の期間における第２の放電素子の駆動波形を示した図である。
【図１９】ＳＦ７の期間における第３の放電素子の駆動波形を示した図である。
【符号の説明】
【０１２８】
１０，３０，６０，１２０  ＰＤＰ
１１，３１，７５  背面板
１２，２１，３２，４２，６６，７２，７６，８６，８６（１），８６（２）  ガラス基板
１３，３３，７７，７７−１〜７７−ｍ，８７，８７−１〜８７−ｍ，８７（１），８７（２）  アドレス電極
１４，２５，３４，４７，７２，７８，８８，８８（１），８８（２），９５，９５（１），９５（２），  誘電体層
１５，３５，７９，８９，８９（１），８９（２）  隔壁
１６，３６  蛍光体
１７，９１，１０７，１２４，１２５，１２６  放電空間
１９，４１，６５  前面板
２０  放電素子
２２，２２−１〜２２−ｎ，４３，６７，６７−１〜６７−ｎ，９１，９１−１〜９１−ｎ，９１（１），９１（２）  表示電極
２２Ａ，２２Ａ−１〜２２Ａ−ｎ，４５，６８，６８−１〜６８−ｎ，９２，９２−１〜９２−ｎ，９２（１），９２（２）  走査電極
２２Ｂ，２２Ｂ−１〜２２Ｂ−ｎ，４４，６９，６９−１〜６９−ｎ，９３，９３−１〜９３−ｎ，９３（１），９３（２）  維持電極
２３，４６，７１，９４，９４（１），９４（２）  電極母線
２４，１１０，１３０  画素
２６，４８，７３，９６，９６（１），９６（２）  保護膜
２７，２７−１〜２７−ｎ，４９，７０  走査ライン
８１Ａ，１０５Ａ  赤色蛍光体
８１Ｂ，１０５Ｂ  青色蛍光体
８１Ｃ，１０５Ｃ  緑色蛍光体
８５，８５（１），８５（２）  中間基板
１０１，１２１  第１の放電素子
１０２，１２２  第２の放電素子
１２３  第３の放電素子
Ｌ１〜Ｌ３  幅
ｔａｄｄ  パルス印加時間
ｔ１〜ｔ３  時間
Ｔ１〜Ｔ６  繰り返し周期
【図１】
0004621080.tif 000002
【図２】
0004621080.tif 000003
【図３】
0004621080.tif 000004
【図４】
0004621080.tif 000005
【図５】
0004621080.tif 000006
【図６】
0004621080.tif 000007
【図７】
0004621080.tif 000008
【図８】
0004621080.tif 000009
【図９】
0004621080.tif 000010
【図１０】
0004621080.tif 000011
【図１１】
0004621080.tif 000012
【図１２】
0004621080.tif 000013
【図１３】
0004621080.tif 000014
【図１４】
0004621080.tif 000015
【図１５】
0004621080.tif 000016
【図１６】
0004621080.tif 000017
【図１７】
0004621080.tif 000018
【図１８】
0004621080.tif 000019
【図１９】
0004621080.tif 000020